(57)【要約】【課題】二つの外枠部を確実に連結させることができるコーナーパッドを提供することを課題とする。【解決手段】コーナーパッド１であって、被包装物１００の角部１０１，１０２を覆う二つの外枠部１０Ａ，１０Ｂを備えている。外枠部１０Ａ，１０Ｂは、第一外壁１１と、第一外壁１１に連設された第二外壁１２と、第二外壁１２の内面に重なる内壁１４と、を備えている。また、一方の外枠部１０Ａの第一外壁１１と、他方の外枠部１０Ｂの第一外壁１１とが連設されている。そして、一方の外枠部１０Ａの第二外壁１２に形成された連結片１７ａが、他方の外枠部１０Ｂの第二外壁１２に形成された連結溝１８ｂに嵌め合わされている。さらに、他方の外枠部１０Ｂの内壁１４に形成された連結片１７ｂが、一方の外枠部１０Ａの内壁１４に形成された連結溝１８ａに嵌め合わされている。【選択図】図５
0003188913.tif 000002
【実用新案登録請求の範囲】
【請求項１】
被包装物の角部を覆う二つの外枠部を備え、
前記外枠部は、
第一外壁と、
前記第一外壁に連設された第二外壁と、
前記第二外壁に連設され、前記第二外壁の内面に重なる内壁と、を備え、
一方の前記外枠部の前記第一外壁と、他方の前記外枠部の前記第一外壁とが連設されており、
一方の前記外枠部の前記第二外壁に形成された連結片が、他方の前記外枠部の前記第二外壁に形成された連結溝に嵌め合わされ、
他方の前記外枠部の前記内壁に形成された連結片が、一方の前記外枠部の前記内壁に形成された連結溝に嵌め合わされていることを特徴とするコーナーパッド。
【請求項２】
一方の前記外枠部の前記連結片と、他方の前記外枠部の前記連結片とは、両外枠部の境界を対称軸として線対称となる位置に配置されていることを特徴とする請求項１に記載のコーナーパッド。
【考案の詳細な説明】
【技術分野】
【０００１】
本考案は、被包装物の角部を覆うコーナーパッドに関する。
【背景技術】
【０００２】
段ボール製のコーナーパッドとしては、被包装物の角部を覆う第一外枠部と、被包装物の他の角部を覆う第二外枠部と、を平面視でＬ字形状に配置したものがある。
両外枠部は、いずれも第一外壁と、第一外壁に連設された第二外壁と、を備え、軸断面はＬ字形状に形成されている。
【０００３】
前記したコーナーパッドでは、両外枠部の両第一外壁は両外枠部の境界で折り曲げられている。また、両第二外壁は切り離されているが、両第二外壁の端部同士は突き合わされている。そして、第一外枠部の第二外壁の端部に形成された連結片を、第二外枠部の第二外壁の端部に形成された連結溝に嵌め合わせている（例えば、特許文献１参照）。
【先行技術文献】
【特許文献】
【０００４】
【特許文献１】特開２００７−３２０６５４号公報
【考案の概要】
【考案が解決しようとする課題】
【０００５】
前記した従来のコーナーパッドでは、一組の連結片および連結溝によって両外枠部を連結しているため、両外枠部の連結部位が外れ易いという問題がある。
【０００６】
本考案は、前記した問題を解決し、二つの外枠部を確実に連結させることができるコーナーパッドを提供することを課題とする。
【課題を解決するための手段】
【０００７】
前記課題を解決するため、本考案は、コーナーパッドであって、被包装物の角部を覆う二つの外枠部を備えている。前記外枠部は、第一外壁と、前記第一外壁に連設された第二外壁と、前記第二外壁に連設され、前記第二外壁の内面に重なる内壁と、を備えている。また、一方の前記外枠部の前記第一外壁と、他方の前記外枠部の前記第一外壁とが連設されている。そして、一方の前記外枠部の前記第二外壁に形成された連結片が、他方の前記外枠部の前記第二外壁に形成された連結溝に嵌め合わされている。さらに、他方の前記外枠部の前記内壁に形成された連結片が、一方の前記外枠部の前記内壁に形成された連結溝に嵌め合わされている。
【０００８】
この構成では、二組の連結片および連結溝によって、両外枠部を確実に連結することができるため、両外枠部を屈曲した状態に保つことができる。
また、連結溝が第二外壁または内壁に重なるため、連結片を連結溝に嵌め合わせたときに、連結片は第二外壁または内壁に重なることになる。これにより、連結片が連結溝から抜け難くなり、連結片を連結溝に確実に嵌め合わせることができる。
また、一方の外枠部の連結片および連結溝と、他方の外枠部の連結片および連結溝とを組み合わせることで、二組の連結片および連結溝が嵌め合わされている。この構成では、一方の外枠部に二つの連結片を並設し、他方の外枠部に二つの連結溝を並設した場合に比べて、連結片および連結溝を大きくすることができるため、両外枠部を確実に連結することができる。
【０００９】
前記したコーナーパッドにおいて、一方の前記外枠部の前記連結片と、他方の前記外枠部の前記連結片とは、両外枠部の境界を対称軸として線対称となる位置に配置することが望ましい。
【００１０】
この構成では、第二外壁および内壁のスペースを有効に利用して、二組の連結片および連結溝を配置することができる。したがって、連結溝および連結片を大きくすることができるため、両外枠部を確実に連結することができる。
【考案の効果】
【００１１】
本考案では、両外枠部を確実に連結して、両外枠部を屈曲した状態に保つことができる。また、連結片を連結溝に確実に嵌め合わせることができる。
【図面の簡単な説明】
【００１２】
【図１】本実施形態のコーナーパッドの展開図である。
【図２】本実施形態の外壁に内壁を重ねた状態の斜視図である。
【図３】本実施形態の第二外壁に対して第一外壁を折り曲げた状態の斜視図である。
【図４】（ａ）は図３のＡ−Ａ断面図、（ｂ）は図３のＢ−Ｂ断面図である。
【図５】本実施形態の両外枠部を連結した状態の斜視図である。
【図６】本実施形態の両外枠部を連結する直前の状態を示した斜視図である。
【図７】他の実施形態のコーナーパッドを示した図で、外壁に切り込みを形成した構成の斜視図である。
【考案を実施するための形態】
【００１３】
本考案の実施形態について、適宜図面を参照しながら詳細に説明する。
本実施形態のコーナーパッド１は、図５に示すように、被包装物１００の角部１０１，１０２を被包装物１００の外側から覆う保護部材である。コーナーパッド１の保護対象である角部１０１，１０２は、いずれも直線状に延ばされており、平面視でＬ字形状に連続している。
【００１４】
コーナーパッド１は、図１に示すように、一枚の段ボール製のシートを切り抜いたブランクシートＳを各折線において谷折りすることで形成される。図１に示すブランクシートＳは内面側が見えるように配置されている。
ブランクシートＳの各折線（罫線）は、ブランクシートＳの表面を押し込んで形成された線状の溝（押罫）である。なお、折線に切り込み溝を形成した場合には、折線においてブランクシートＳを折り曲げ易くなる。
【００１５】
コーナーパッド１は、図５に示すように、被包装物１００の角部１０１を覆う第一外枠部１０Ａと、被包装物１００の他の角部１０２を覆う第二外枠部１０Ｂと、を備えている。第一外枠部１０Ａおよび第二外枠部１０Ｂは平面視でＬ字形状に配置されている。
【００１６】
第一外枠部１０Ａは、第一外壁１１と、第一外壁１１に連設された第二外壁１２と、を備えている。第一外枠部１０Ａの軸断面はＬ字形状に形成されている。
また、第一外枠部１０Ａは、第一外壁１１の内面に重なる第一内壁１３と、第二外壁１２の内面に重なる第二内壁１４と、を備えている。
【００１７】
第一外壁１１は、図１に示すように、長方形に形成されている。第一外壁１１の一方の側縁部１１ａには、折線Ｌ１を介して第二外壁１２が連設されている。
また、第一外壁１１の側縁部１１ａの中央部には、二つの第一スリット１１ｃ，１１ｃが間隔を空けて形成されている。第一スリット１１ｃは、第二内壁１４の第二差込片１４ｅが差し込まれる部位である（図４（ｂ）参照）。
第一外壁１１の他方の側縁部１１ｂには、折線Ｌ２を介して第一中間部１５が連設されている。
【００１８】
第一中間部１５には、折線Ｌ３を介して第一内壁１３が連設されている。第一内壁１３は、長方形に形成されており、図２に示すように、第一外壁１１の内面に重なる部位である。
折線Ｌ２（図１参照）において第一中間部１５を第一外壁１１に対して折り曲げるとともに、折線Ｌ３（図１参照）において第一内壁１３を第一中間部１５に対して折り曲げることで、第一内壁１３が第一外壁１１の内面に重なる。
【００１９】
図４（ｂ）に示すように、第一内壁１３を第一外壁１１に重ねたときに、第一内壁１３の側縁部１３ｂが、第一外壁１１の第一スリット１１ｃに重ならないように、第一外壁１１の幅よりも第一内壁１３の幅が小さく形成されている。
【００２０】
図１に示すように、第一内壁１３の側縁部１３ｂの中央部には、第一差込片１３ｄが突設されている。第一差込片１３ｄは、第二外壁１２の第二スリット１２ｄに差し込まれる部位である。
【００２１】
第二外壁１２は、台形状に形成されている。第二外壁１２の幅と第一外壁１１の幅は、同じ大きさに形成されている。
第二外壁１２の一方の側縁部１２ａには、折線Ｌ１を介して第一外壁１１が連設され、第二外壁１２の他方の側縁部１２ｂには、折線Ｌ４を介して第二中間部１６が連設されている。
【００２２】
第二外壁１２の一方の側縁部１２ａには、第二スリット１２ｄが形成されている。第二スリット１２ｄは、第一外壁１１の両第一スリット１１ｃ、１１ｃの間に配置されている。第二スリット１２ｄは、第一内壁１３の第一差込片１３ｄが差し込まれる部位である（図４（ａ）参照）。
【００２３】
第二外壁１２の一方（両外枠部１０Ａ、１０Ｂの境界側）の縁部１２ｃは、第二外壁１２の長手方向に対して斜め（本実施形態では４５度）に交差している。
第二外壁１２の一方の縁部１２ｃでは、第一外壁１１側の末端が折線Ｌ１と折線Ｌ６（両外枠部１０Ａ，１０Ｂの境界）との交点に位置している。また、第二外壁１２の一方の縁部１２ｃの第二中間部１６側の末端は、折線Ｌ４上に配置されるとともに、第一外壁１１側の末端よりも第二外壁１２の他方の縁部１２ｅ側に配置されている。
【００２４】
また、第二外壁１２の一方の縁部１２ｃには、連結片１７ａが突設されている。連結片１７ａは、第二外壁１２の幅方向の中央部よりも第二中間部１６寄りの位置に配置されている。
連結片１７ａは、基部から先端部に向かうに従って拡幅されている。連結片１７ａは、図５に示すように、第二外枠部１０Ｂの第二外壁１２に形成された連結溝１８ｂに嵌め合わされる部位である。
【００２５】
図１に示すように、第二中間部１６には、折線Ｌ５を介して第二内壁１４が連設されている。
第二内壁１４は、台形状に形成されており、図２に示すように、第二外壁１２の内面に重なる部位である。
折線Ｌ４（図１参照）において第二中間部１６を第二外壁１２に対して折り曲げるとともに、折線Ｌ５（図１参照）において第二内壁１４を第二中間部１６に対して折り曲げることで、第二内壁１４が第二外壁１２の内面に重なる。
【００２６】
第二内壁１４の一方（両外枠部１０Ａ、１０Ｂの境界側）の縁部１４ｃは、図１に示すように、第二内壁１４の長手方向に対して斜め（本実施形態では４５度）に交差している。図２に示すように、第二内壁１４を第二外壁１２に重ねた状態では、第二内壁１４の一方の縁部１４ｃが、第二外壁１２の一方の縁部１２ｃに重なる。このように、第二内壁１４の一方の縁部１４ｃと、第二外壁１２の一方の縁部１２ｃとは、第二中間部１６を境にして対称となる方向に傾斜している。
【００２７】
図４（ａ）に示すように、第二内壁１４を第二外壁１２に重ねたときに、第二内壁１４の側縁部１４ｂが、第二外壁１２の第二スリット１２ｄに重ならないように、第二外壁１２の幅よりも第二内壁１４の幅が小さく形成されている。
【００２８】
図１に示すように、第二内壁１４の一方の縁部１４ｃには、連結溝１８ａが形成されている。連結溝１８ａは、一方の縁部１４ｃを窪ませた部位であり、一方の縁部１４ｃから内側に向かうに従って拡幅されている。
連結溝１８ａは、図５に示すように、第二外枠部１０Ｂの第二内壁１４の連結片１７ｂが嵌り合う部位である。
【００２９】
図２に示すように、第二内壁１４を第二外壁１２に重ねた状態では、第二外壁１２の一方の縁部１２ｃおよび第二内壁１４の一方の縁部１４ｃを対称軸として、連結片１７ａと連結溝１８ａとが線対称となる位置に配置されている。すなわち、連結片１７ａおよび連結溝１８ａは、縁部１２ｃ，１４ｃに直交する方向に並べて配置されている。
また、第二内壁１４を第二外壁１２に重ねた状態では、連結溝１８ａは第二外壁１２の内面上に配置され、連結溝１８ａの内面側の開口部は第二外壁１２によって塞がれる。
【００３０】
第二内壁１４の側縁部１４ｂには、二つの第二差込片１４ｅ，１４ｅが突設されている。第二差込片１４ｅは、第一外壁１１の第一スリット１１ｃに差し込まれる部位である（図４（ｂ）参照）。
【００３１】
第二外枠部１０Ｂは、図５に示すように、第一外壁１１と、第一外壁１１に連設された第二外壁１２と、を備え、第二外枠部１０Ｂの軸断面はＬ字形状に形成されている。
また、第二外枠部１０Ｂは、第一外壁１１の内面に重なる第一内壁１３と、第二外壁１２の内面に重なる第二内壁１４と、を備えている。
【００３２】
第二外枠部１０Ｂは、図１に示すように、連結片１７ｂおよび連結溝１８ｂの構成以外は、第一外枠部１０Ａと左右対称の構成となっている。したがって、第二外枠部１０Ｂについて、第一外枠部１０Ａと同様な構成の説明は省略する。
【００３３】
第二外枠部１０Ｂでは、第二内壁１４に連結片１７ｂが形成され、第二外壁１２に連結溝１８ｂが形成されている。
第二外枠部１０Ｂの連結片１７ｂは、第二内壁１４の一方（両外枠部１０Ａ，１０Ｂの境界側）の縁部１４ｃに形成されている。また、第二外枠部１０Ｂの連結溝１８ｂは、第二外壁１２の一方（両外枠部１０Ａ，１０Ｂの境界側）の縁部１２ｃに形成されている。
【００３４】
第一外枠部１０Ａの第一外壁１１の端部と、第二外枠部１０Ｂの第一外壁１１の端部とは折線Ｌ６を介して連設されている。
【００３５】
コーナーパッド１は、図５に示すように、第一外枠部１０Ａと第二外枠部１０Ｂとが平面視でＬ字形状に配置される。第一外枠部１０Ａの第一外壁１１と、第二外枠部１０Ｂの第一外壁１１とは、折線Ｌ６（図１参照）において直角に折り曲げられている。
また、第一外枠部１０Ａと第二外枠部１０Ｂとの屈曲部位（境界）では、第一外枠部１０Ａの第一内壁１３、第二外壁１２および第二内壁１４の端部と、第二外枠部１０Ｂの第一内壁１３、第二外壁１２および第二内壁１４の端部とが突き合わされている。
【００３６】
そして、第一外枠部１０Ａの第二外壁１２の連結片１７ａが、第二外枠部１０Ｂの第二外壁１２の連結溝１８ｂに嵌め合わされている。
さらに、第二外枠部１０Ｂの第二内壁１４の連結片１７ｂが、第一外枠部１０Ａの第二内壁１４の連結溝１８ａに嵌め合わされている。
【００３７】
次に、図１に示すブランクシートＳから図５に示すコーナーパッド１を組み立てる手順について説明する。
まず、図２に示すように、第一外枠部１０Ａおよび第二外枠部１０Ｂのそれぞれにおいて、第一外壁１１に第一内壁１３を重ねるとともに、第二外壁１２に第二内壁１４を重ねる。
この状態では、第一内壁１３の第一差込片１３ｄの先端部が第二外壁１２の第二スリット１２ｄに重なるとともに、第二内壁１４の第二差込片１４ｅの先端部が、第一外壁１１の第一スリット１１ｃに重なる。
【００３８】
続いて、図３に示すように、第一外壁１１を第二外壁１２に対して直角に折り曲げる。
このとき、図４（ａ）に示すように、第一内壁１３の第一差込片１３ｄが、第二外壁１２の第二スリット１２ｄに差し込まれる。
また、図４（ｂ）に示すように、第二内壁１４の第二差込片１４ｅが、第一外壁１１の第一スリット１１ｃに差し込まれる。
これにより、図３に示すように、第二外壁１２に対して第一外壁１１が垂直な状態に固定される。
【００３９】
続いて、図６に示すように、折線Ｌ６において、第一外枠部１０Ａに対して第二外枠部１０Ｂを直角に折り曲げる。
これにより、図５に示すように、第一外枠部１０Ａの第一内壁１３、第二外壁１２および第二内壁１４の端部と、第二外枠部１０Ｂの第一内壁１３、第二外壁１２および第二内壁１４の端部とが突き合わされる。
【００４０】
さらに、第一外枠部１０Ａの第二外壁１２の連結片１７ａを、第二外枠部１０Ｂの第二外壁１２の連結溝１８ｂに嵌め合わせる。
また、第二外枠部１０Ｂの第二内壁１４の連結片１７ｂを、第一外枠部１０Ａの第二内壁１４の連結溝１８ａに嵌め合わせる。
これにより、第一外枠部１０Ａと第二外枠部１０Ｂとは、平面視でＬ字形状に配置された状態に連結され、コーナーパッド１の組み立てが完了する。
【００４１】
以上のようなコーナーパッド１では、図５に示すように、二組の連結片１７ａ，１７ｂおよび連結溝１８ａ，１８ｂによって、両外枠部１０Ａ，１０Ｂを確実に連結することができるため、両外枠部１０Ａ，１０Ｂを屈曲した状態に保つことができる。
【００４２】
また、連結片１７ａ，１７ｂを連結溝１８ａ，１８ｂに嵌め合わせたときに、第二外壁１２の連結片１７ａは第二内壁１４に重なるとともに、第二内壁１４の連結片１７ｂは第二外壁１２に重なる。これにより、連結片１７ａ，１７ｂが連結溝１８ａ，１８ｂから抜け難くなり、連結片１７ａ，１７ｂを連結溝１８ａ，１８ｂに確実に嵌め合わせることができる。
【００４３】
また、第一外枠部１０Ａの連結片１７ａおよび連結溝１８ａと、第二外枠部１０Ｂの連結片１７ｂおよび連結溝１８ｂとを組み合わせることで、二組の連結片１７ａ，１７ｂおよび連結溝１８ａ，１８ｂが嵌め合わされている。この構成では、連結片１７ａ，１７ｂおよび連結溝１８ａ，１８ｂを大きくすることができるため、両外枠部１０Ａ，１０Ｂを確実に連結することができる。
【００４４】
さらに、第一外枠部１０Ａの連結片１７ａと、第二外枠部１０Ｂの連結片１７ａとは、両外枠部１０Ａ，１０Ｂの境界を対称軸として線対称となる位置に配置されている。この構成では、第二外壁１２および第二内壁１４のスペースを有効に利用して、二組の連結片１７ａ，１７ｂおよび連結溝１８ａ，１８ｂを配置することができる。
【００４５】
以上、本考案の実施形態について説明したが、本考案は前記実施形態に限定されることなく、その趣旨を逸脱しない範囲で適宜に変更が可能である。
例えば、本実施形態では、図５に示すように、第一外壁１１に重なる第一内壁１３が設けられているが第一内壁１３を設けなくてもよい。
【００４６】
また、図７に示すように、外枠部１０Ａ，１０Ｂが長手方向に大きい場合には、第一内壁１３および第二内壁１４に対して、長手方向に直交する方向に切り込み部Ｌ７を形成し、第一内壁１３および第二内壁１４を分割することが望ましい。この構成では、第一外壁１１および第二外壁１２に対して第一内壁１３および第二内壁１４を折り曲げ易くなる。
【符号の説明】
【００４７】
１      コーナーパッド
１０Ａ  第一外枠部
１０Ｂ  第二外枠部
１１    第一外壁
１１ｃ  第一スリット
１２    第二外壁
１２ｄ  第二スリット
１３    第一内壁
１３ｄ  第一差込片
１４    第二内壁
１４ｅ  第二差込片
１５    第一中間部
１６    第二中間部
１７ａ  連結片
１７ｂ  連結片
１８ａ  連結溝
１８ｂ  連結溝
１００  被包装物
Ｓ      ブランクシート
【図１】
0003188913.tif 000003
【図２】
0003188913.tif 000004
【図３】
0003188913.tif 000005
【図４】
0003188913.tif 000006
【図５】
0003188913.tif 000007
【図６】
0003188913.tif 000008
【図７】
0003188913.tif 000009